(57)【要約】【課題】ズボンの中の風通しが良く、その裾丈調節が切断や縫上げなどせずに着用者の身長に合せ簡単に出来る雨天用ズボンに関するものである。【解決手段】雨天用ズボン1の裾部に、柔軟で復元性ある保形弾性体３(本例ではテニスラケットのガット使用)を内包した袋部4を多段状に(本例4A、4B、4Cの3段)装着し、蛇腹部２を形成させ解決。保形弾性体３の保形特性によりズボン1の裾口は常に開口状態を保ち風通しが良い。また、ズボン長さ調節は、蛇腹部2を形成の袋部4A、4B、4C(それぞれ保形弾性体3を内包保持)の部位で行い、必ず4A、4B、4Cのいずれかが裾口となる様にする。本例は3段なので長中短に長さ調節出来る。その時、裾部分の切断や縫い合せは不要。裾部分をズボン内部へ折り曲げたり、元通り伸ばしたりで調節。更に、腰骨部分に空気抜き7を設け、ズボン1の裾口からの風の逃げ道とし、風通しを一層良くする。【選択図】    図１
2009041132.tif 000002
【特許請求の範囲】
【請求項１】
ズボン１の裾部に、柔軟で復元性ある保形弾性体３を、複数段数或はスパイラル状に或はそれらの組合せ状で装着し、蛇腹部２を形成させる事を特徴とした雨天用ズボン。
【請求項２】
上記ズボン１において、該ズボン1の腰骨周辺部に空気抜き７を設ける事を特徴とした請求項1に記載の雨天用ズボン。
【発明の詳細な説明】
【技術分野】
【０００１】
本発明は雨の時に着用するズボンに関するもので、そのズボンの裾口を常に拡げた状態に保持し、ズボン内が蒸れず、また靴や足元も濡れにくくすると共に、ズボンの裾丈を身長にあわせて簡単に調節出来る様に工夫した雨天用ズボンに関するものである。
【背景技術】
【０００２】
雨天時に着用のズボンの裾口を拡げる工夫の方法としては、特許文献1や特許文献2の方法が提案されている。特許文献1では柔軟な素材の保形条体を、特許文献2では円形やだ円形の器具を、いずれもズボンの裾口部に取り付け、そこを拡げた状態とする方法である。しかし、ズボン着用者の身長に合わせてそのズボンの裾丈を調節する方法の提案は見あたらない。
【０００３】
【特許文献１】実用新案登録  第3039886号
【特許文献２】特開2006−70414
【発明の開示】
【発明が解決しようとする課題】
【０００４】
雨合羽着用時に雨が降った場合、合羽に降った雨水は全てズボンの方へ流れてきてズボンの裾口を濡らしてしまい、その濡れた裾口は足首周りや靴周辺にまつわり付き、足や靴が濡れる上に動きにくくなり大変である。また、ズボンの中は風通しも悪くなり、汗まで出て蒸れてきて大変気持が悪いものである。
【０００５】
更に、ズボンには着用者の身長に合わせてその長さを調節しないと使用しにくいという問題もある。特に、雨天時に着用するズボンの場合、その裾丈の長さが不適切であると、例えば長すぎると踵で裾を踏んづけたりするし、バイクや自転車等に乗っている時などには足回りの物に引っ掛けたり回転部分に巻き込まれたりし大変危険である。その危険を避ける為に短くしすぎると足首や靴の中までも濡れてしまい気持が悪い。
【０００６】
したがって本発明は上述の課題を解決する事、即ち、裾口が拡がりズボンの中の風通しが良く、更にそのズボンの長さを簡単に調節出来る雨天用ズボンを提供する事を目的としたものである。
【課題を解決するための手段】
【０００７】
本発明は上記課題を、ズボン１の裾部に、柔軟性と復元性ある保形弾性体３を、複数段数或はスパイラル状に或はそれらの組合せ状で装着し、蛇腹部２を形成させる方法により解決した。
【０００８】
更に、上記課題を、上記ズボン1の腰骨周辺部に空気抜き７を設ける方法によっても解決した。
【発明の効果】
【０００９】
雨天時用のズボンを着用時の不快感や裾丈調節の課題を、保形弾性体での蛇腹部の形成や腰骨周辺に空気抜きを設ける工夫等により解決した結果、次の様な効果が得られた。
【００１０】
ズボン裾口に柔軟で復元性のある保形弾性体を装着した結果、裾口は常に円状或は楕円状に拡がりその開口状態を保持出来るようになった。その結果、濡れた裾が足や靴にまつわり付かず動き易くなり、足や靴も濡れにくくなり、ズボンの中への風の通りも良くなり、蒸れ感も改善され、着用時の見栄えも良く、更には靴を履いたままでのズボン着脱も容易となった。又、ズボンを洗って干した時でも裾口からの風通しが良くなり乾きも早くなった。
【００１１】
更に保形弾性体をズボンの裾部分が蛇腹状になる様に装着した結果、ズボンの長さ調節が大変やり易くなった。通常、短くする時は、裾の方を身長に合わせ切断したり縫い上げたりするが、その必要がなくなった。即ち、裾部分が蛇腹状なので、その蛇腹の節状の部分を利用し短くしたい長さだけ折り曲げ、ズボンの中へ折り上げれば短く調節出来る。短くなったズボンの裾口にも保形弾性体が装着してあり開口状態を保持するので、本発明効果は維持される。
【００１２】
短くした裾部分を元の長さに戻したい時は、切断や縫い上げでなく折り上げで短くしただけなので、そのズボンの中へ折り上げられた部分を下へ引出し伸ばせば簡単に元の状態に復元出来る。この様に短くしたり復元したりが簡単なのも、保形弾性体を装着し蛇腹部を形成させた効果である。
【００１３】
この様に、ズボンの裾丈の長さ調節が容易となったので、裾が長すぎてそれを踏んづけたり、足回りのものを引っ掛けたり、回転物に巻き込まれたり等の危険性や、裾が短すぎて足回りや靴の中までずぶ濡れになる不快感等が著しく改善された。
【００１４】
また、ズボンの腰骨周辺部分にメッシュ状や鳩目状の空気抜きを設けた結果、ズボンの裾口から流れ入った風はズボン内を上昇し易くなり、ズボン内が蒸れ難くなって、下半身が大変涼しく感じる様になった。
【００１５】
なお、裾口を常に拡げているので、強風や大雨の時などには雨・風が入り過ぎて困る事がある。その時はホックや取り外しの出来るテープ、紐類などで裾部を絞れば、過度の雨・風の流入を押える事が出来る。雨や風が収まったらホック等を外せば、裾部分はまた拡がった状態となる。この様に絞りと拡げが簡便に出来るのも保形弾性体の効果である。
【発明を実施するための最良の形態】
【００１６】
足や靴がずぶ濡れにならず、またズボンの中が蒸れにくく、更には着用者の身長に合わせてズボン丈を簡単に調節出来る雨天用ズボンにつき種々検討した結果、保形弾性体をズボンの裾部に蛇腹部を形成する様に装着し、またズボンの腰骨周辺に空気抜きを設ける方法により解決できる事を見出した。
【００１７】
保形弾性体としては、丸めれば円状や楕円状の形状を形成可能な柔軟で復元性のある弾性体が適している。また、使用時の安全性も考慮するとプラスチック類或はその複合材等が好適で、例えば、テニスやバトミントンのラケットに使われるガットは柔軟性や復元性のある弾性線状物として安全性の面からも適している。それ以外にも、同様な特性を有する弾性線状物、チューブ状物、その他も使用出来る。
【００１８】
この保形弾性体を丸めて輪状として、或は丸めず線状のまま、或は両者を組合せた形で、ズボンの裾部に蛇腹部を形成する様に装着する。輪状で使用の時は2段以上の複数段数を形成する様に装着し、線状で使用の時は丸めて輪状で、或はスパイラル状で、或はその組合せ状で装着し、蛇腹部を形成させる。
【００１９】
保形弾性体のズボンへの装着は、縫い付けや貼付け、或は袋状の部分を作りそこに挿入保持等の方法で行う。ズボン着用使用中に保形弾性体がズボンから容易に外れない様にしっかりと装着する。
【００２０】
上記の特性を有する保形弾性体が装着されたズボン裾口は、円形状や楕円形状に保形開口され、風がズボンの中に流れ込み易くなり蒸れにくくなる。更に、裾部分には蛇腹部が形成されているので、蛇腹部の形状特性と保形特性とにより、そこを折り曲げれば上方へ折り上げる事が出来、また丸め上げる事も出来る。
【００２１】
したがって、ズボンの長さを短くしたい時は、裾部分をカットや縫い上げ等の煩わしい作業をする必要がなく、その蛇腹の部分を折り上げたり丸め上げたりするだけで短く出来る。また、もとの長さに戻したい時は、カットや縫い上げ等をしていないので、折り上げた部分や丸め上げた部分を伸ばせば元の長さに戻る。
【００２２】
ズボンの腰骨周辺に設ける空気抜きは、風が通り易いメッシュ状や鳩目状等の形に設ける。この空気抜きは、ズボン裾部に保形弾性体で形成の開口部と相まって、そこから流れ入った風を抜け易くし、蒸れ解消や涼しさ向上に大変効果的である。
以下、実施例にもとづき本発明につき更に説明する。
【実施例１】
【００２３】
図1は、ズボン裾の袋部４(4A、4B、4C)に保形弾性体3を挿入装着し蛇腹部2を形成し、更に腰骨部分に空気抜き7を設けた本発明の雨天用ズボン１の正面図を示す。
【００２４】
蛇腹部2の形成は、図1に示す様に、ズボン1の裾部に横長の袋状をした袋部4を水平状に4A、4B、4Cの様に3段に設け、その各袋部4A、4B、4Cのそれぞれの中に保形弾性体3を挿入保持させて蛇腹部2を形成させる。
【００２５】
保形弾性体３としてはテニスのラケット用のガットを使用し、それを、図3に示す様に、ズボン裾部の3段の袋部4A、4B、4Cにそれぞれ挿入し、それぞれが裾周りでぐるりと丸く輪状になる様に保持装着させ、3段の蛇腹部2を形成させる。なお、図３は、図2に示すＸ−Ｘ′視野の断面図で、向って右側がズボンの内側、左側はズボン外側である。
【００２６】
図2は、図1のズボン1の裾部を下側から見た斜視図であるが、上述の様に保形弾性体３を袋部4に保持装着した結果、裾口は図２の様に常に楕円形状に開口した状態を保持出来る。なお、保形弾性体3は袋部4Aだけでなく4B、4Cにもそれぞれ挿入装着されているので、それらの部分でもそれぞれに楕円形状の開口状態が保持される。
【００２７】
以上の様にして形成のズボン1の裾部は、それを雨中で着用しても常に図2に示す様な拡げた状態に保持されるので、濡れた裾が足や靴にまつわり付きにくく動き易くなり、足や靴も濡れにくくなり、ズボンの中への風の通りも良くなり、蒸れ感も改善され、更には靴を履いたままでのズボン着脱も容易となった。又、ズボンを洗って干した時でも裾口からの風通しが良く乾きが早くなった。
【００２８】
以上の効果に加え、ズボン1の裾部に保形弾性体３を装着し蛇腹部2を形成させた結果、ズボン1の長さ調節が大変やり易くなった。図4はズボン1の裾部の正面図を示すもので、その(イ)〜（ハ）は長さを長、中、短の3段階に調節した図を示す。
【００２９】
図3に示す様に、袋部4A、4B、4Cにはそれぞれに保形弾性体３が挿入保持されている。各袋部がこの様に保形弾性体3を保持出来る様にする為に、生地6を折り曲げ上方へ持上げて横長状の袋を形成させ、上方で(縫い目5Aで)縫い合わせ袋部4を形成させている。更にその上方でも、裾丈を短くする時折り上げ易い様に、縫い目5Bでも縫い合わせている。
【００３０】
この様にして形成の保形弾性体3保持装着の袋部4A、4B、4Cは、そのどれがズボン1の下端裾口となっても、楕円形状の開口状態の裾口を形成出来るので、ズボンの丈の調節はこの袋部4A、4B、4Cが裾部の下端部分となる様に行う。
【００３１】
ズボン1の長さを一番長い状態で使いたい時は、図4の(イ)の状態で使えばよい。中位の長さで使いたい時は、図4の(ロ)の様に、袋部4Bが裾口となる状態で、即ち図3、4に示す袋部4Bの上方の縫い目5Bの部位で袋部4Aの部分をズボン1の中へ折り曲げ、その折り曲げた部分が図4の(ロ)の折り上げ部８(点線部分)となる様にズボン内で折り上がった状態とする。
【００３２】
こうして形成の図4の(ロ)の裾口は袋部4Bであり、そこにも保形弾性体3が内包装着されているので楕円形状の開口状態を保持し、本発明効果を図4の(イ)の時と同様に発揮する。また、折り上げ部８は、袋部4Aと4Bとに装着された保形弾性体3の保形効果によって、拡がった状態を維持し形が崩れてずり下がったりはしない。
【００３３】
いちばん短くしたい時は、図4の(ハ)に示す状態にする。即ち、中位の長さに調節した時の要領で、袋部4Cの上方の縫い目5Bの部分で、それより下方の裾部分を折り上げて、折り上げ部8を形成させた状態とし使用する。
なお、本実施例では長さ調節を3段階としたが、その調節段数等を変更したい時は、保形弾性体3の装着段数等をそれに対応し変更させれば良い。
【００３４】
上述の様に、ズボンの長さを調節する際に裾部分を切ったり縫い上げたりしていないので、長さを元に戻したい時も大変簡単に出来る。折り上げた部分を元の様に下げるだけで復元する。この様に、短めたり長くしたりが簡単に出来るのも、保形弾性体3を装着し蛇腹部2を形成させた効果である。
【００３５】
また、ズボン1の裾口から入って来た風を逃げやすくする為に、図1に示す様に、鳩目状に開口した空気抜き7をズボン1の腰骨周辺に設けた。この結果、裾口の開口部から流入の空気は逃げ易くなり、ズボン1の中の風通しが大変良くなり蒸れ感も更に改善された。
【００３６】
なお、本発明方法によりズボン内の風通しは良くなったが、風が強過ぎる時とか雨が土砂降りの時などにはかえって困る事がある。そうした場合には裾部を絞っての使用が望まれたりする。その時には、例えばホックや取り外しの出来るテープ、紐類などを使用し絞るようにすれば良い。
【００３７】
図5にホック９を使った例を示す。図5はズボン1の裾部の正面図であるが、図5の(イ)に示す様に、袋部4A、4B、4Cの部分に一対のホック９をそれぞれに取り付け、裾部を絞りたい時は図5の(ロ)の様に各袋に付けたホック９同士を嵌めれば絞る事が出来、また再度拡げたい時には外せば元通りに復元する。この様に絞ったり復元させたり出来るのも、保形弾性体3として柔軟性と復元性のある弾性体を使用した効果である。
【図面の簡単な説明】
【００３８】
【図１】本発明の雨天用ズボンの正面図。
【図２】本発明の雨天用ズボンの裾部を下方から見た時の斜視図。
【図３】本発明の雨天用ズボンの裾部のX−X′断面図。
【図４】本発明の雨天用ズボンの長さ調節図。
【図５】本発明の雨天用ズボンの裾開口部の調節図。
【符号の説明】
【００３９】
１  ズボン
２  蛇腹部
３  保形弾性体
４  4A、4B、4C、  袋部
５  5A、5B、  縫い目
６  生地
７  空気抜き
８  折り上げ部
９  ホック
【図１】
2009041132.tif 000003
【図２】
2009041132.tif 000004
【図３】
2009041132.tif 000005
【図４】
2009041132.tif 000006
【図５】
2009041132.tif 000007